【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
デフォルト位置が設定されたスライダ上をユーザ操作に応じて移動する操作子をユーザ操作が実施されている状態から実施されていない状態への変化に応じて前記スライダ上の前記デフォルト位置へと戻すよう制御する表示制御部を備えた外部機器からの指令を受信する受信部と、
前記受信部で受信した指令に基づいて制御対象部を制御する制御部と
を備え、
前記制御部は、前記操作子がユーザに操作された場合は前記デフォルト位置からの操作子の移動に基づいて前記制御対象部を制御し、
前記制御対象部は、前記操作子がユーザ操作が実施されている状態から実施されていない状態へ変化した場合は直前の状態に維持される
電子機器。
【請求項２】
デフォルト位置が設定されたスライダ上をユーザ操作に応じて移動する操作子をユーザ操作が実施されている状態から実施されていない状態への変化に応じて前記スライダ上の前記デフォルト位置へと戻すよう制御する表示制御部を備えた外部機器からの指令を受信する受信部と、
前記受信部で受信した指令に基づいて制御対象部を制御する制御部と
を備え、
前記制御部は、前記操作子がユーザに操作された場合は前記デフォルト位置からの操作子の移動に基づいて前記制御対象部を制御し、
前記表示制御部は、前記操作子の表示位置が前記デフォルト位置の場合は前記デフォルト位置からの操作子の移動量に基づいた指令を送信しない
電子機器。
【請求項３】
デフォルト位置が設定されたスライダ上をユーザ操作に応じて移動する操作子をユーザ操作が実施されている状態から実施されていない状態への変化に応じて前記スライダ上の前記デフォルト位置へと戻すよう制御する表示制御部を備えた外部機器からの指令を受信する受信部と、
前記受信部で受信した指令に基づいて制御対象部を制御する制御部と
を備え、
前記制御部は、前記操作子がユーザに操作された場合は前記デフォルト位置からの操作子の移動量に基づいて前記制御対象部を制御する
電子機器。
【請求項４】
請求項１から３のうちいずれか一項に記載の電子機器であって、
前記制御部は、前記操作子の前記ユーザ操作による前記デフォルト位置からの移動量に応じて、前記制御対象の制御指示を変化させる
電子機器。
【請求項５】
請求項１から４のうちいずれか一項に記載の電子機器であって、
前記制御対象部は、パラメータを持ち、
前記制御部は、前記ユーザ操作による前記デフォルト位置からの移動量に応じて、前記制御対象のパラメータの変更速度を変化させる
電子機器。
【請求項６】
請求項１から５のうちいずれか一項に記載の電子機器であって、
前記電子機器は、駆動部と被駆動部を更に備え、
前記制御対象部は駆動部であり、
駆動部は制御部による制御に応じて被駆動部を駆動する
電子機器。
【請求項７】
請求項６に記載の電子機器であって、
前記被駆動部はレンズであり、
前記駆動部はレンズ駆動部である
電子機器。
【請求項８】
請求項６に記載の電子機器であって、
前記被駆動部はアイリスであり、
前記駆動部はアイリス駆動部である
電子機器。
【請求項９】
請求項１から８のうちいずれか一項に記載の電子機器であって、
前記電子機器は、
被写体を撮像する撮像光学系と、
前記撮像光学系によって撮像された被写体の像を光電変換する撮像素子とを更に備える
電子機器。
【請求項１０】
請求項１から９のうちいずれか一項に記載の電子機器であって、
前記電子機器は、前記撮像素子によって撮像された映像を出力する出力部を更に備える
電子機器。
【請求項１１】
請求項１０に記載の電子機器であって、
前記出力部は、前記外部機器へ出力する
電子機器。
【請求項１２】
請求項１から１１のうちいずれか一項に記載の電子機器であって、
前記外部機器は、外部表示部を更に備える
電子機器。
【請求項１３】
請求項１２に記載の電子機器であって、
前記外部表示部は、前記出力部から出力された映像を表示する
電子機器。
【請求項１４】
請求項１から１３のうちいずれか一項に記載の電子機器であって、
前記制御部は、前記受信部が前記外部機器と通信を行う際に認証を行う
電子機器。
【請求項１５】
受信部が、デフォルト位置が設定されたスライダ上をユーザ操作に応じて移動する操作子をユーザ操作が実施されている状態から実施されていない状態への変化に応じて前記スライダ上の前記デフォルト位置へと戻すよう制御する表示制御部を備えた外部機器からの指令を受信し、
制御部が、前記受信部で受信した指令に基づいて制御対象部を制御する
機器操作方法であって、
前記制御部が、前記操作子がユーザに操作された場合は前記デフォルト位置からの操作子の移動に基づいて前記制御対象部を制御し、
前記制御対象部が、前記操作子がユーザ操作が実施されている状態から実施されていない状態へ変化した場合は直前の状態に維持される
機器操作方法。
【請求項１６】
受信部が、デフォルト位置が設定されたスライダ上をユーザ操作に応じて移動する操作子をユーザ操作が実施されている状態から実施されていない状態への変化に応じて前記スライダ上の前記デフォルト位置へと戻すよう制御する表示制御部を備えた外部機器からの指令を受信し、
制御部が、前記受信部で受信した指令に基づいて制御対象部を制御する
機器操作方法であって、
前記制御部が、前記操作子がユーザに操作された場合は前記デフォルト位置からの操作子の移動に基づいて前記制御対象部を制御し、
前記表示制御部が、前記操作子の表示位置が前記デフォルト位置の場合は前記デフォルト位置からの操作子の移動量に基づいた指令を送信しない
機器操作方法。
【請求項１７】
受信部が、デフォルト位置が設定されたスライダ上をユーザ操作に応じて移動する操作子をユーザ操作が実施されている状態から実施されていない状態への変化に応じて前記スライダ上の前記デフォルト位置へと戻すよう制御する表示制御部を備えた外部機器からの指令を受信し、
制御部が、前記受信部で受信した指令に基づいて制御対象部を制御する
機器操作方法であって、
前記制御部が、前記操作子がユーザに操作された場合は前記デフォルト位置からの操作子の移動量に基づいて前記制御対象部を制御する
機器操作方法。
【請求項１８】
デフォルト位置が設定されたスライダ上をユーザ操作に応じて移動する操作子をユーザ操作が実施されている状態から実施されていない状態への変化に応じて前記スライダ上の前記デフォルト位置へと戻すよう制御する表示制御部を備えた外部機器からの指令を受信する受信部と、
前記受信部で受信した指令に基づいて制御対象部を制御する制御部
として情報処理装置を機能させるプログラムであって、
前記制御部は、前記操作子がユーザに操作された場合は前記デフォルト位置からの操作子の移動に基づいて前記制御対象部を制御し、
前記制御対象部は、前記操作子がユーザ操作が実施されている状態から実施されていない状態へ変化した場合は直前の状態に維持される
プログラム。
【請求項１９】
デフォルト位置が設定されたスライダ上をユーザ操作に応じて移動する操作子をユーザ操作が実施されている状態から実施されていない状態への変化に応じて前記スライダ上の前記デフォルト位置へと戻すよう制御する表示制御部を備えた外部機器からの指令を受信する受信部と、
前記受信部で受信した指令に基づいて制御対象部を制御する制御部
として情報処理装置を機能させるプログラムであって、
前記制御部は、前記操作子がユーザに操作された場合は前記デフォルト位置からの操作子の移動に基づいて前記制御対象部を制御し、
前記表示制御部は、前記操作子の表示位置が前記デフォルト位置の場合は前記デフォルト位置からの操作子の移動量に基づいた指令を送信しない
プログラム。
【請求項２０】
デフォルト位置が設定されたスライダ上をユーザ操作に応じて移動する操作子をユーザ操作が実施されている状態から実施されていない状態への変化に応じて前記スライダ上の前記デフォルト位置へと戻すよう制御する表示制御部を備えた外部機器からの指令を受信する受信部と、
前記受信部で受信した指令に基づいて制御対象部を制御する制御部
として情報処理装置を機能させるプログラムであって、
前記制御部は、前記操作子がユーザに操作された場合は前記デフォルト位置からの操作子の移動量に基づいて前記制御対象部を制御する
プログラム。